(57)【要約】【課題】簡易な構成で、本体ケーシングに対するドラムカートリッジの装着動作を利用して、第１カバーを第１位置から第２位置へ移動させることができる画像形成装置を提供する。【解決手段】  ドラムカートリッジ３は、感光ドラム１２と、第１カバー２１とを備える。第１カバー２１は、感光ドラム１２の周面を覆う第１位置と、感光ドラム１２の周面を露出する第２位置との間を回動可能である。第１カバー２１は、第１接触部２８Ａと第２接触部２９Ａとを有する。本体ケーシング２は、第３接触部５３Ａと第４接触部５３Ｂとを有する。第１位置に位置する第１カバー２１は、第１接触部２８Ａが第３接触部５３Ａに接触することによって第２位置に位置する。ドラムカートリッジ３は、第２接触部２９Ａが第４接触部５３Ｂに接触することによって第２ガイド位置から前記第３ガイド位置まで回動する。【選択図】図２
2019015857.tif 000002
【特許請求の範囲】
【請求項１】
定着器を有する本体ケーシングと、
前記本体ケーシングに対して装着可能なドラムカートリッジであって、感光ドラムと、前記感光ドラムの周面を覆う第１カバーとを有するドラムカートリッジと、
を備え、
前記本体ケーシングは、前記ドラムカートリッジが前記本体ケーシングに装着されるときに、前記ドラムカートリッジをガイドするガイドであって、前記ドラムカートリッジが前記本体ケーシングに装着されるときに前記ガイドに案内される方向である装着方向において、上流端と、前記上流端と前記定着器との間に位置する下流端と、を有するガイドを有し、
前記ドラムカートリッジは、前記ガイドにガイドされる被ガイド部を有し、前記本体ケーシングに装着されるときに、前記被ガイド部が前記ガイドの前記上流端に位置する第１ガイド位置から、前記被ガイド部が前記ガイドの前記下流端に位置する第２ガイド位置を経て、前記下流端に位置する前記被ガイド部を中心として前記第２ガイド位置から回動した第３ガイド位置へ移動するように構成され、
前記第１カバーは、前記感光ドラムの周面を覆う第１位置と、前記感光ドラムの周面を露出する第２位置との間を、第１回動シャフトについて回動可能であり、第１接触部と、前記装着方向において前記第１回動シャフトに対して前記第１接触部の反対側に位置する第２接触部と、を有し、
前記本体ケーシングは、前記ドラムカートリッジが前記第１ガイド位置から前記第２ガイド位置へ移動するときに前記第１接触部と接触する第３接触部と、前記ドラムカートリッジが前記第２ガイド位置から前記第３ガイド位置まで移動するときに前記第２接触部と接触する第４接触部と、を有し、
前記第１位置に位置する前記第１カバーは、前記ドラムカートリッジが前記第１ガイド位置から前記第２ガイド位置へ移動するときに、前記第１接触部が前記第３接触部に接触することによって、前記ドラムカートリッジが前記第２ガイド位置から前記第３ガイド位置へ回動する回動方向と同じ方向に回動して、前記第２位置に位置し、
前記ドラムカートリッジは、前記第２接触部が前記第４接触部に接触することによって、前記第１カバーが前記第２位置に維持された状態で、前記第２ガイド位置から前記第３ガイド位置まで移動することを特徴とする、画像形成装置。
【請求項２】
前記ドラムカートリッジは、前記感光ドラムの周面のうち、前記第１カバーによって覆われる第１部分とは異なる第２部分を覆う第２カバーであって、前記感光ドラムの周面を覆う第３位置と、前記感光ドラムの周面を露出する第４位置との間を、第２回動シャフトについて回動可能であり、第５接触部を有する第２カバーを、さらに有し、
前記本体ケーシングは、前記ドラムカートリッジが前記第１ガイド位置から前記第２ガイド位置へ移動するときに前記第５接触部と接触する第６接触部と、前記ドラムカートリッジが前記第２ガイド位置から前記第３ガイド位置まで移動するときに前記第２カバーの一部と接触する第７接触部とを、さらに有し、
前記第３位置に位置する前記第２カバーは、
前記ドラムカートリッジが前記第１ガイド位置から前記第２ガイド位置へ移動するときに、前記第５接触部が前記第６接触部に接触することによって、前記回動方向と反対の方向に回動して、前記第３位置と前記第４位置との間の第５位置に位置し、
前記ドラムカートリッジが前記第２ガイド位置から前記第３ガイド位置へ移動するときに、前記第２カバーの一部が前記第７接触部に接触することによって、前記回動方向と反対の方向にさらに回動して、前記第４位置に位置することを特徴とする、請求項１に記載の画像形成装置。
【請求項３】
前記第１カバーが前記第１位置に位置し、前記第２カバーが前記第３位置に位置する状態で、前記第１カバーの自由端と前記第２カバーの自由端とは、前記感光ドラムの周方向において、向かい合うことを特徴とする、請求項２に記載の画像形成装置。
【請求項４】
前記第６接触部は、前記ガイドに対して、前記第３接触部の反対側に位置することを特徴とする、請求項２または請求項３に記載の画像形成装置。
【請求項５】
前記ドラムカートリッジとは独立して前記本体ケーシングに対して装着可能な現像カートリッジであって、前記ドラムカートリッジが前記第３ガイド位置に位置する状態で、前記現像カートリッジが前記本体ケーシングに装着されたときに、前記第１部分に接触する現像ローラを有する現像カートリッジを、さらに備え、
前記本体ケーシングは、前記ドラムカートリッジが前記第３ガイド位置に位置する状態で、前記感光ドラムの周面の、前記第２部分に接触する転写ローラを、さらに備えることを特徴とする、請求項２から請求項４のいずれか一項に記載の画像形成装置。
【請求項６】
前記ドラムカートリッジが前記第３ガイド位置に位置し、前記現像カートリッジが前記本体ケーシングに装着された状態で、前記第１ガイド位置から前記第２ガイド位置への前記ドラムカートリッジの移動方向において、前記感光ドラムは、前記現像ローラに対して下流側に位置することを特徴とする、請求項５に記載の画像形成装置。
【請求項７】
前記ドラムカートリッジは、前記感光ドラムを支持するドラムフレームと、前記ドラムフレームに回動可能に連結されるハンドルとを有し、
前記ドラムフレームと前記ハンドルとの連結部分は、
前記ドラムカートリッジが前記第１ガイド位置から前記第２ガイド位置に移動するときに、前記第１ガイド位置から前記第２ガイド位置への前記ドラムカートリッジの移動方向において前記感光ドラムに対して上流側に位置し、
前記ドラムカートリッジが前記第２ガイド位置から前記第３ガイド位置に移動するときに、前記移動方向における前記感光ドラムの上流側から退避することを特徴とする、請求項１から請求項６のいずれか一項に記載の画像形成装置。
【請求項８】
前記ドラムカートリッジは、前記感光ドラムを支持するドラムフレームと、前記ドラムフレームに回動可能に連結されるハンドルとを有し、
前記ドラムフレームと前記ハンドルとの連結部分は、前記ドラムカートリッジが前記第３ガイド位置にあるとき、前記ドラムカートリッジが前記第２ガイド位置よりも、相対的に高い位置にあることを特徴とする、請求項１から請求項６のいずれか一項に記載の画像形成装置。
【請求項９】
前記感光ドラムは、軸線方向に延びるドラムシャフトについて回転可能であり、
前記被ガイド部は、前記ドラムシャフトであることを特徴とする請求項１から請求項８のいずれか一項に記載の画像形成装置。
【発明の詳細な説明】
【技術分野】
【０００１】
本発明は、画像形成装置に関する。
【背景技術】
【０００２】
従来、本体ケーシングと、本体ケーシングに対して装着可能なドラムカートリッジとを備える画像形成装置が知られている（下記特許文献１参照）。
【０００３】
ドラムカートリッジは、感光ドラムと、感光ドラムを覆うカバーとを備える。カバーは、互いに連結される２枚の板を備える。カバーは、ドラムカートリッジが本体ケーシングに装着されるときに、感光ドラムを覆う第１位置から、感光ドラムを露出する第２位置へ移動する。このとき、カバーは、２枚の板が重なるように折り畳まれる。
【先行技術文献】
【特許文献】
【０００４】
【特許文献１】特開２００６−００３６９０号公報
【発明の概要】
【発明が解決しようとする課題】
【０００５】
しかし、上記特許文献１に記載されるドラムカートリッジでは、カバーの構造が複雑である。
【０００６】
そこで、本開示の目的は、簡易な構成で、本体ケーシングに対するドラムカートリッジの装着動作を利用して、第１カバーを第１位置から第２位置へ移動させることができる画像形成装置を提供することにある。
【課題を解決するための手段】
【０００７】
本発明の画像形成装置は、定着器を有する本体ケーシングと、本体ケーシングに対して装着可能なドラムカートリッジであって、感光ドラムと、感光ドラムの周面を覆う第１カバーとを有するドラムカートリッジとを備える。
【０００８】
本体ケーシングは、ドラムカートリッジが本体ケーシングに装着されるときに、ドラムカートリッジをガイドするガイドを有する。ガイドは、ドラムカートリッジが本体ケーシングに装着されるときにガイドに案内される方向である装着方向において、上流端と、上流端と定着器との間に位置する下流端と、を有する。
【０００９】
ドラムカートリッジは、ガイドにガイドされる被ガイド部を有する。ドラムカートリッジは、本体ケーシングに装着されるときに、被ガイド部がガイドの上流端に位置する第１ガイド位置から、被ガイド部がガイドの下流端に位置する第２ガイド位置を経て、下流端に位置する被ガイド部を中心として第２ガイド位置から回動した第３ガイド位置へ移動するように構成される。
【００１０】
第１カバーは、感光ドラムの周面を覆う第１位置と、感光ドラムの周面を露出する第２位置との間を、第１回動シャフトについて回動可能である。第１カバーは、第１接触部と、装着方向において第１回動シャフトに対して第１接触部の反対側に位置する第２接触部と、を有する。
【００１１】
本体ケーシングは、ドラムカートリッジが第１ガイド位置から第２ガイド位置へ移動するときに第１接触部と接触する第３接触部と、ドラムカートリッジが第２ガイド位置から第３ガイド位置まで移動するときに第２接触部と接触する第４接触部と、を有する。
【００１２】
第１位置に位置する第１カバーは、ドラムカートリッジが第１ガイド位置から第２ガイド位置へ移動するときに、第１接触部が第３接触部に接触することによって、ドラムカートリッジが第２ガイド位置から第３ガイド位置へ回動する回動方向と同じ方向に回動して、第２位置に位置する。
【００１３】
ドラムカートリッジは、第２接触部が第４接触部に接触することによって、第１カバーが第２位置に維持された状態で、第２ガイド位置から第３ガイド位置まで移動する。
【００１４】
このような構成によれば、ドラムカートリッジが第１ガイド位置から第２ガイド位置へ移動するときに、第１カバーの第１接触部を本体ケーシングの第３接触部に接触させるという、簡易な構成で、第１カバーを、ドラムカートリッジが第２ガイド位置から第３ガイド位置へ回動する回動方向と同じ方向に回動させて、第１位置から第２位置へ移動させることができる。
【００１５】
また、ドラムカートリッジが第２ガイド位置から第３ガイド位置へ回動するときに、第１カバーの第２接触部を本体ケーシングの第４接触部に接触させることによって、第１カバーを第２位置に維持することができる。
【００１６】
その結果、簡易な構成で、本体ケーシングに対するドラムカートリッジの装着動作を利用して、第１カバーを第１位置から第２位置へ移動させることができる。
【発明の効果】
【００１７】
本発明の画像形成装置によれば、簡易な構成で、本体ケーシングに対するドラムカートリッジの装着動作を利用して、第１カバーを第１位置から第２位置へ移動させることができる。
【図面の簡単な説明】
【００１８】
【図１】図１は、画像形成装置の中央断面図である。
【図２】図２Ａは、本発明の概要について説明するための説明図であり、ドラムカートリッジが第１ガイド位置に位置する状態を示す。図２Ｂは、図２Ａに続いて、ドラムカートリッジが第１ガイド位置から第２ガイド位置へ向かって移動し、第１カバーの第１接触部が本体ケーシングの第３接触部と接触した状態を示す。図２Ｃは、図２Ｂに続いて、ドラムカートリッジが第１ガイド位置から第２ガイド位置へ向かってさらに移動し、第１カバーが第２位置に位置した状態を示す。
【図３】図３Ａは、図２Ｃに続いて、ドラムカートリッジが第２ガイド位置に位置する状態を示す。図３Ｂは、図３Ａに続いて、ドラムカートリッジが第２ガイド位置から回動して第３ガイド位置に位置した状態を示す。
【図４】図４Ａは、図１に示すドラムカートリッジを示し、第１カバーが第１位置に位置し、第２カバーが第３位置に位置する状態を示す。図４Ｂは、図４Ａに示すドラムカートリッジを示し、第１カバーが第２位置に位置し、第２カバーが第４位置に位置する状態を示す。
【図５】図５は、図４Ａに示すドラムカートリッジを矢印Ａ（図４Ａ参照）の方向から見た側面図である。
【図６】図６は、図４Ａに示すドラムカートリッジを矢印Ｂ（図４Ａ参照）の方向から見た側面図である。
【図７】図７は、図１に示す現像カートリッジの側面図である。
【図８】図８は、図１に示す本体ケーシングを説明するための説明図であって、カバーが開位置に位置する状態を示す。
【図９】図９は、本体ケーシングに対するドラムカートリッジの装着について説明するための説明図であって、ドラムカートリッジが第１ガイド位置に位置した状態を示す。
【図１０】図１０は、図９に続いて、ドラムカートリッジが第１ガイド位置から第２ガイド位置へ向かって移動した状態であって、第１カバーの第１接触部が本体ケーシングの第３接触部と接触し、第２カバーの第５接触部が本体ケーシングの第６接触部と接触した状態を示す。
【図１１】図１１は、図１０に続いて、ドラムカートリッジが第１ガイド位置から第２ガイド位置へ向かってさらに移動した状態であって、第１カバーが第２位置に位置し、第２カバーが第５位置に位置した状態を示す。
【図１２】図１２は、図１１に続いて、ドラムカートリッジが第２ガイド位置に位置する状態を示す。
【図１３】図１３は、図１２に続いて、ドラムカートリッジが第２ガイド位置から回動して第３ガイド位置に位置した状態であって、第２カバーが第４位置に位置した状態を示す。
【発明を実施するための形態】
【００１９】
１．画像形成装置１の概略
図１を参照して、画像形成装置１の概略について説明する。
【００２０】
画像形成装置１は、本体ケーシング２と、ドラムカートリッジ３と、現像カートリッジ４とを備える。
【００２１】
１．１  本体ケーシング２
本体ケーシング２は、ドラムカートリッジ３および現像カートリッジ４を本体ケーシング２に装着するための開口２Ａと、開口２Ａに連通する内部空間２Ｂとを有する。開口２Ａは、ドラムカートリッジ３が本体ケーシング２に装着されるとき、および、現像カートリッジ４が本体ケーシング２に装着されるときに、共通して使用される。内部空間２Ｂは、ドラムカートリッジ３と現像カートリッジ４とを収容可能である。内部空間２Ｂは、後述する定着器８とカバー２Ｃとの間、かつ、後述するレーザースキャンユニット６と転写ローラ７との間に位置する。本体ケーシング２は、カバー２Ｃと、レーザースキャンユニット６と、転写ローラ７と、定着器８と、給紙部９と、給紙トレイ１０と、排紙トレイ１１とを備える。
【００２２】
カバー２Ｃは、開口２Ａを開放する開位置（図８参照）と、開口２Ａを閉鎖する閉位置（図１参照）との間を移動可能である。
【００２３】
レーザースキャンユニット６は、後述する感光ドラム１２の表面を露光するように構成される。
【００２４】
転写ローラ７は、感光ドラム１２の表面に形成されたトナー像を用紙に転写するように構成される。転写ローラ７は、ドラムカートリッジ３が本体ケーシング２に装着された状態で、感光ドラム１２の表面に接触する。
【００２５】
定着器８は、トナー像が転写された用紙を加熱および加圧して、用紙にトナー像を定着させるように構成される。
【００２６】
給紙部９は、給紙トレイ１０内の用紙を、感光ドラム１２と転写ローラ７との間に供給するように構成される。
【００２７】
給紙トレイ１０は、用紙を収容するように構成される。
【００２８】
排紙トレイ１１は、定着器８を通過した用紙が排紙されるように構成される。
【００２９】
１．２  ドラムカートリッジ３
ドラムカートリッジ３は、本体ケーシング２に装着可能である。ドラムカートリッジ３は、感光ドラム１２と、帯電ローラ１３とを有する。
【００３０】
感光ドラム１２は、軸線方向に延びるドラムシャフト１２Ａについて回転可能である。
【００３１】
帯電ローラ１３は、感光ドラム１２の表面を帯電するように構成される。帯電ローラ１３は、感光ドラム１２の表面に接触する。
【００３２】
１．３  現像カートリッジ４
現像カートリッジ４は、ドラムカートリッジ３とは独立して本体ケーシング２に装着可能である。現像カートリッジ４は、現像ローラ１４と、供給ローラ１５とを備える。
【００３３】
現像ローラ１４は、感光ドラム１２にトナーを供給するように構成される。現像ローラ１４は、ドラムカートリッジ３と現像カートリッジ４とが本体ケーシング２に装着された状態で、感光ドラム１２の表面に接触する。なお、現像ローラ１４は、ドラムカートリッジ３と現像カートリッジ４とが本体ケーシング２に装着された状態で、感光ドラム１２の表面に対して、スペースを空けて近接してもよい。
【００３４】
供給ローラ１５は、現像カートリッジ４内のトナーを、現像ローラ１４に供給するように構成される。供給ローラ１５は、現像カートリッジ４内に位置する。供給ローラ１５は、現像ローラ１４の表面に接触する。
【００３５】
２．画像形成装置１の詳細
図２Ａから図１３を参照して、画像形成装置１の詳細について説明する。
【００３６】
図２Ａから図３Ｂに示すように、ドラムカートリッジ３は、本体ケーシング２に装着されるときに、第１ガイド位置（図２Ａ参照）から、第２ガイド位置（図３Ａ参照）を経て、第３ガイド位置（図３Ｂ参照）へ移動するように構成される。第１ガイド位置は、ドラムシャフト１２Ａが後述するガイド５１の上流端５１Ａに位置する位置である。第２ガイド位置は、ドラムシャフト１２Ａがガイド５１の下流端５１Ｂに位置する位置である。第３ガイド位置は、下流端５１Ｂに位置するドラムシャフト１２Ａを中心として第２ガイド位置から回動した位置である。
【００３７】
ドラムカートリッジ３は、後述する第１カバー２１を有する。第１カバー２１は、感光ドラム１２の周面を覆う第１位置（図２Ａ参照）と、感光ドラム１２の周面を露出する第２位置（図２Ｃ参照）との間を、第１回動シャフト２７Ａについて回動可能である。
【００３８】
また、第１カバー２１は、後述する第１接触部２８Ａと、後述する第２接触部２９Ａとを有する。本体ケーシング２は、後述する第３接触部５３Ａと、後述する第４接触部５３Ｂとを有する。
【００３９】
第３接触部５３Ａは、図２Ｂに示すように、ドラムカートリッジ３が第１ガイド位置から第２ガイド位置へ移動するときに、第１接触部２８Ａと接触する。これにより、第１位置に位置する第１カバー２１は、図２Ｂおよび図２Ｃに示すように、ドラムカートリッジ３が第２ガイド位置から第３ガイド位置へ回動する回動方向と同じ方向に回動して、第２位置に位置する。
【００４０】
第４接触部５３Ｂは、図３Ａに示すように、ドラムカートリッジ３が第２ガイド位置から第３ガイド位置まで移動するときに第２接触部２９Ａと接触する。これにより、ドラムカートリッジ３は、図３Ａおよび図３Ｂに示すように、第１カバー２１が第２位置に維持された状態で、第２ガイド位置から第３ガイド位置まで移動する。
【００４１】
以下、ドラムカートリッジ３、現像カートリッジ４および本体ケーシング２の詳細な構造について説明する。
【００４２】
２．ドラムカートリッジ３の詳細
図４Ａに示すように、ドラムカートリッジ３は、ドラムシャフト１２Ａの中心軸線Ｃ１と、後述するハンドルシャフト３３の中心軸線Ｃ２とを結ぶ方向において、ハンドル２３を除いて、長さＬ１を有する。また、ドラムカートリッジ３は、中心軸線Ｃ１と中心軸線Ｃ２とを結ぶ方向と直交する方向において、長さＬ２を有する。長さＬ２は、長さＬ１よりも短い。これにより、本体ケーシング２において、ドラムカートリッジ３が第１ガイド位置から第２ガイド位置へ移動するときにドラムカートリッジ３が通過するスペースを、上下方向において小さくすることができ、本体ケーシング２の薄型化を図ることができる。
【００４３】
ドラムカートリッジ３は、上記した感光ドラム１２、上記した帯電ローラ１３、ドラムフレーム２０、第１カバー２１、第２カバー２２、および、ハンドル２３を備える。ドラムカートリッジ３が第１カバー２１と第２カバー２２とを備えることにより、感光ドラム１２の周面を広い範囲で覆うことができ、感光ドラム１２の周面を確実に保護できる。
【００４４】
２．１  ドラムフレーム２０
ドラムフレーム２０は、感光ドラム１２および帯電ローラ１３を収容する。ドラムフレーム２０は、感光ドラム１２を回転可能に支持する。ドラムフレーム２０は、側板２４Ａと、側板２４Ｂ（図５参照）とを備える。
【００４５】
側板２４Ａは、ドラムシャフト１２Ａの軸線方向における一端部を、回転可能に支持する。側板２４Ａは、切欠き２５を有する。
【００４６】
切欠き２５は、図４Ｂに示すように、第１カバー２１が第２位置に位置するときに、後述する第１接触部２８Ａを受け入れる。
【００４７】
側板２４Ｂは、図５に示すように、軸線方向において、側板２４Ａに対して間隔を隔てて位置する。側板２４Ｂは、ドラムシャフト１２Ａの軸線方向における他端部を、回転可能に支持する。側板２４Ｂは、図示しない切欠きを有する。
【００４８】
図示しない切欠きは、第１カバー２１が第２位置に位置するときに、後述する第１接触部２８Ｂを受け入れる。
【００４９】
２．２  第１カバー２１
図４Ａに示すように、第１カバー２１は、カバー板２６、第１回動シャフト２７Ａ、第１回動シャフト２７Ｂ（図５参照）、第１接触部２８Ａ、第１接触部２８Ｂ（図５参照）、第２接触部２９Ａ、および第２接触部２９Ｂ（図５参照）を有する。
【００５０】
カバー板２６は、第１カバー２１が第１位置に位置するときに、感光ドラム１２の周面を覆う。これにより、第１カバー２１は、第１位置に位置するときに、感光ドラム１２の周面を覆う。カバー板２６は、第１カバー２１が第１位置に位置するときに、感光ドラム１２の周面の一部である第１部分Ａ１を覆う。第１部分Ａ１には、ドラムカートリッジ３が第３ガイド位置に位置する状態で、現像ローラ１４（図１参照）が、接触する。なお、ドラムカートリッジ３が第３ガイド位置に位置し、現像カートリッジ４が本体ケーシング２に装着された状態で、第１ガイド位置から第２ガイド位置へのドラムカートリッジ３の移動方向において、感光ドラム１２は、現像ローラ１４に対して下流側に位置する。カバー板２６は、図５に示すように、軸線方向において、側板２４Ａと側板２４Ｂとの間に位置する。カバー板２６は、軸線方向に延びる。カバー板２６は、軸線方向において、一端Ｅ１と他端Ｅ２とを有する。カバー板２６は、感光ドラム１２の周面に沿って湾曲する。
【００５１】
第１回動シャフト２７Ａは、カバー板２６の一端Ｅ１に位置する。第１回動シャフト２７Ａは、軸線方向に延びる。第１回動シャフト２７Ａは、円柱形状を有する。第１回動シャフト２７Ａは、側板２４Ａによって回転可能に支持される。詳しくは、第１回動シャフト２７Ａは、側板２４Ａの貫通穴７１Ａに挿通されることにより、側板２４Ａによって回転可能に支持される。
【００５２】
第１回動シャフト２７Ｂは、カバー板２６の他端Ｅ２に位置する。第１回動シャフト２７Ｂは、軸線方向において、第１回動シャフト２７Ａに対して間隔を隔てて位置する。なお、第１回動シャフト２７Ｂは、第１回動シャフト２７Ａと連続していてもよい。第１回動シャフト２７Ｂは、軸線方向に延びる。第１回動シャフト２７Ｂは、円柱形状を有する。第１回動シャフト２７Ｂは、側板２４Ｂによって回転可能に支持される。詳しくは、第１回動シャフト２７Ａは、側板２４Ｂの貫通穴７１Ｂに挿通されることにより、側板２４Ｂによって回転可能に支持される。
【００５３】
第１接触部２８Ａは、図４Ａに示すように、第１カバー２１が第１位置に位置するときに、第１回動シャフト２７Ａに対して、凹部２５の反対側に位置する。また、第１接触部２８Ａは、図５に示すように、カバー板２６の一端Ｅ１に位置する。第１接触部２８Ａは、軸線方向に延びる。第１接触部２８Ａは、軸線方向において、側板２４Ａに対して、カバー板２６の反対側まで延びる。第１接触部２８Ａは、楕円柱形状を有する。
【００５４】
第１接触部２８Ｂは、カバー板２６の他端Ｅ２に位置する。第１接触部２８Ｂは、軸線方向において、第１接触部２８Ａと重なる位置に位置する。第１接触部２８Ｂは、軸線方向に延びる。第１接触部２８Ｂは、軸線方向において、側板２４Ｂに対して、カバー板２６の反対側まで延びる。第１接触部２８Ｂは、楕円柱形状を有する。
【００５５】
第２接触部２９Ａは、図４Ａに示すように、第１回動シャフト２７Ａに対して第１接触部２８Ａの反対側に位置する。これにより、第２接触部２９Ａは、装着方向において、第１回動シャフト２７Ａに対して第１接触部２８Ａの反対側に位置する。第２接触部２９Ａは、第１回動シャフト２７Ａに対して間隔を隔てて位置する。第２接触部２９Ａは、第１回動シャフト２７Ａと接続される。第２接触部２９Ａは、図５に示すように、軸線方向において、側板２４Ａに対して、カバー板２６の反対側に位置する。第２接触部２９Ａは、軸線方向に延びる。第２接触部２９Ａは、円柱形状を有する。
【００５６】
第２接触部２９Ｂは、第１回動シャフト２７Ｂに対して第１接触部２８Ｂの反対側に位置する。第２接触部２９Ｂは、第１回動シャフト２７Ｂに対して間隔を隔てて位置する。第２接触部２９Ｂは、第１回動シャフト２７Ｂと接続される。第２接触部２９Ｂは、軸線方向において、側板２４Ｂに対して、カバー板２６の反対側に位置する。第２接触部２９Ｂは、軸線方向に延びる。第２接触部２９Ｂは、円柱形状を有する。
【００５７】
２．３  第２カバー２２
図４Ａおよび図４Ｂに示すように、第２カバー２２は、感光ドラム１２の周面を覆う第３位置（図４Ａ参照）と、感光ドラム１２の周面を露出する第４位置（図４Ｂ参照）との間を、軸線方向に延びる第２回動シャフト３１Ａについて回動可能である。第２カバー２２は、カバー板３０、第２回動シャフト３１Ａ、第２回動シャフト３１Ｂ（図５参照）、第５接触部３２Ａ、第５接触部３２Ｂ（図５参照）および第８接触部３０Ｂを備える。
【００５８】
カバー板３０は、第２カバー２２が第３位置に位置するときに、感光ドラム１２の周面のうち、第１部分Ａ１とは異なる第２部分Ａ２を覆う。これにより、第２カバー２２は、第３位置に位置するときに、感光ドラム１２の周面のうち、第１部分Ａ１とは異なる第２部分Ａ２を覆う。第２部分Ａ２には、ドラムカートリッジ３が第３ガイド位置に位置する状態で、転写ローラ７（図１参照）が、接触する。カバー板３０の自由端３０Ａは、第１カバー２１が第１位置に位置し、第２カバー２２が第３位置に位置する状態で、感光ドラム１２の周方向において、第１カバー２１のカバー板２６の自由端２６Ａと向かい合う。これにより、第１カバー２１が第１位置に位置し、第２カバー２２が第３位置に位置する状態で、第１カバー２１と第２カバー２２とは、感光ドラム１２の周方向において、向かい合う。このとき、カバー板３０の自由端３０Ａと、第１カバー２１のカバー板２６の自由端２６Ａとが向かい合っている。カバー板３０は、図６に示すように、軸線方向において、側板２４Ａと側板２４Ｂとの間に位置する。カバー板３０は、軸線方向に延びる。カバー板３０は、軸線方向において、一端Ｅ１１と他端Ｅ１２とを有する。カバー板３０は、感光ドラム１２の周面に沿って湾曲する。
【００５９】
第２回動シャフト３１Ａは、第２カバー２２の一端Ｅ１１に位置する。第２回動シャフト３１Ａは、軸線方向に延びる。第２回動シャフト３１Ａは、円柱形状を有する。第２回動シャフト３１Ａは、側板２４Ａによって回転可能に支持される。詳しくは、第２回動シャフト３１Ａは、側板２４Ａの貫通穴７２Ａに挿通されることにより、側板２４Ａによって回転可能に支持される。
【００６０】
第２回動シャフト３１Ｂは、第２カバー２２の他端Ｅ１２に位置する。第２回動シャフト３１Ｂは、軸線方向において、第２回動シャフト３１Ａに対して間隔を隔てて位置する。なお、第２回動シャフト３１Ｂは、第２回動シャフト３１Ａと連続していてもよい。第２回動シャフト３１Ｂは、軸線方向に延びる。第２回動シャフト３１Ｂは、円柱形状を有する。第２回動シャフト３１Ｂは、側板２４Ｂによって回転可能に支持される。詳しくは、第２回動シャフト３１Ａは、側板２４Ｂの貫通穴７２Ｂに挿通されることにより、側板２４Ｂによって回転可能に支持される。
【００６１】
第５接触部３２Ａは、第２回動シャフト３１Ａに対してカバー板３０の反対側に位置する。第５接触部３２Ａは、第２回動シャフト３１Ａに対して間隔を隔てて位置する。第５接触部３２Ａは、第２回動シャフト３１Ａと接続される。第５接触部３２Ａは、軸線方向において、側板２４Ａに対して、カバー板３０の反対側に位置する。第５接触部３２Ａは、軸線方向に延びる。第５接触部３２Ａは、円柱形状を有する。
【００６２】
第５接触部３２Ｂは、第２回動シャフト３１Ｂに対してカバー板３０の反対側に位置する。第５接触部３２Ｂは、第２回動シャフト３１Ｂに対して間隔を隔てて位置する。第５接触部３２Ｂは、第２回動シャフト３１Ｂと接続される。第５接触部３２Ｂは、軸線方向において、側板２４Ｂに対して、カバー板３０の反対側に位置する。第５接触部３２Ｂは、軸線方向に延びる。第５接触部３２Ｂは、円柱形状を有する。
【００６３】
第８接触部３０Ｂは、カバー板２６の一部である。第８接触部３０Ｂは、カバー板２６の自由端３０Ａと、第２回動シャフト３１Ａとの間に位置する。第８接触部３０Ｂは、ドラムカートリッジ３が第２ガイド位置から第３ガイド位置まで移動するときに、後述する第７接触部５５（図１３参照）と接触する部分である。
【００６４】
２．４  ハンドル２３
図４Ａおよび図５に示すように、ハンドル２３は、ドラムフレーム２０に回動可能に連結される。ハンドル２３は、ハンドルシャフト３３、第１アーム３４Ａ、第２アーム３４Ｂおよびバー３５を備える。
【００６５】
ハンドルシャフト３３は、ドラムフレーム２０とハンドル２３との連結部分の一例である。ハンドルシャフト３３は、軸線方向に延びる。ハンドルシャフト３３は、軸線方向において、一端Ｅ２１と他端Ｅ２２とを有する。ハンドルシャフト３３は、円柱形状を有する。ハンドルシャフト３３は、側板２４Ａの貫通穴７３Ａ、および、側板２４Ｂの貫通穴７３Ｂに挿通される。これにより、ハンドルシャフト３３は、側板２４Ａおよび側板２４Ｂによって、回転可能に支持される。また、これにより、ハンドル２３は、ドラムフレーム２０に対して、回転可能に連結される。なお、ドラムフレーム２０とハンドル２３との連結部分は、ハンドルシャフト３３に限られない。例えば、ドラムフレーム２０は、側板２４Ａから突出する第１ボス、および、側板２４Ｂから突出する第２ボスを有し、ハンドル２３は、第１ボスが嵌まる穴や切欠き、および、第２ボスが嵌まる穴や切欠きを有してもよい。この場合、ハンドル２３のうち、穴や切欠きを有する部分が連結部分となる。ハンドルシャフト３３は、図９から図１２に示すように、ドラムカートリッジ３が第１ガイド位置から第２ガイド位置に移動するときに、第１ガイド位置から第２ガイド位置へのドラムカートリッジ３の移動方向において、感光ドラム１２に対して上流側に位置する。また、ハンドルシャフト３３は、図１２および図１３に示すように、ドラムカートリッジ３が第２ガイド位置から第３ガイド位置に移動するときに、移動方向における感光ドラム１２の上流側から退避する。詳しくは、ハンドルシャフト３３は、ドラムカートリッジ３が第３ガイド位置に位置するとき、ドラムカートリッジ３が第２ガイド位置に位置するときよりも、相対的に高い位置にある。
【００６６】
図５に示すように、第１アーム３４Ａは、軸線方向において、ハンドルシャフト３３の一端Ｅ２１と側板２４Ａとの間に位置する。第１アーム３４Ａは、ハンドルシャフト３３から延びる。第１アーム３４Ａは、ハンドルシャフト３３の径方向に延びる。
【００６７】
第２アーム３４Ｂは、軸線方向において、第１アーム３４Ａに対して、間隔を隔てて位置する。第２アーム３４Ｂは、軸線方向において、ハンドルシャフト３３の他端Ｅ２２と側板２４Ｂとの間に位置する。第２アーム３４Ｂは、ハンドルシャフト３３から延びる。第２アーム３４Ｂは、ハンドルシャフト３３の径方向に延びる。
【００６８】
バー３５は、ハンドルシャフト３３の径方向において、ハンドルシャフト３３に対して、間隔を隔てて位置する。バー３５は、軸線方向において、第１アーム３４Ａと第２アーム３４Ｂとの間に位置する。バー３５は、軸線方向に延びる。バー３５は、軸線方向において、一端と他端とを有する。バー３５の一端は、第１アーム３４Ａに接続する。バー３５の他端は、第２アーム３４Ｂに接続する。バー３５は、円柱形状を有する。バー３５は、図１３に示すように、ドラムカートリッジ３が本体ケーシング２に装着され、現像カートリッジ４が本体ケーシング２から離脱された状態で、感光ドラム１２と、本体ケーシング２の開口２Ａとの間に位置する。
【００６９】
３．現像カートリッジ４の詳細
図７に示すように、現像カートリッジ４は、現像フレーム４１と、リブ４２と、リブ４３とを備える。
【００７０】
現像フレーム４１は、トナーを収容する。また、現像フレーム４１は、現像ローラ１４および供給ローラ１５を収容する。
【００７１】
リブ４２は、現像カートリッジ４が本体ケーシング２に装着されるときに、ドラムカートリッジ３のハンドル２３（図１３参照）と接触する。リブ４２は、現像ローラ１４の軸線方向において、現像フレーム４１の外面に位置する。リブ４２は、現像ローラ１４の軸線方向において、現像フレーム４１の外面から突出する。リブ４２は、第１接触面４２Ａと、第２接触面４２Ｂとを有する。
【００７２】
第１接触面４２Ａは、現像カートリッジ４が本体ケーシング２に装着されるときに、感光ドラム１２と本体ケーシング２の開口２Ａとの間に位置するハンドル２３（図１３参照）と接触し、ハンドル２３を上方へ回動させる。第１接触面４２Ａは、現像カートリッジ４が本体ケーシング２に装着されるときに、現像装着方向に対して傾斜する。現像装着方向は、本体ケーシング２に対する現像カートリッジ４の装着方向である。詳しくは、第１接触面４２Ａは、現像カートリッジ４が本体ケーシング２に装着されるときに、現像装着方向における上流側に向かうにつれて、上方に傾斜する。
【００７３】
第２接触面４２Ｂは、現像カートリッジ４が本体ケーシング２に装着された状態で、第１接触面４２Ａによって回動されたハンドル２３（図１参照）と接触する。第２接触面４２Ｂは、現像カートリッジ４が本体ケーシング２に装着された状態で、現像装着方向に延びる。
【００７４】
リブ４３は、現像カートリッジ４が本体ケーシング２に装着された状態で、本体ケーシング２内に設けられる押圧部材６０（図８参照）によって押圧される。リブ４３は、軸線方向において、現像フレーム４１の外面に位置する。リブ４３は、現像ローラ１４の軸線方向において、現像フレーム４１の外面から突出する。
【００７５】
４．本体ケーシング２の詳細
本体ケーシング２は、図８に示すように、ガイド５１、ハンドルシャフトガイド５２、第１カバーガイド５３、第２カバーガイド５４、および、第７接触部５５を備える。
【００７６】
４．１  ガイド５１
ガイド５１は、ドラムカートリッジ３が本体ケーシング２に装着されるときに、ドラムカートリッジ３を、第１ガイド位置から第２ガイド位置までガイドする。ガイド５１には、ドラムカートリッジ３が第１ガイド位置に位置したときに、ドラムシャフト１２Ａ（図９参照）が、嵌まる。また、ガイド５１には、ドラムカートリッジ３が第１ガイド位置から第２ガイド位置まで移動する間、ドラムシャフト１２Ａと、ハンドルシャフト３３（図１０から図１２参照）とが嵌まる。すなわち、ドラムシャフト１２Ａは、ガイド５１にガイドされる被ガイド部の一例である。なお、被ガイド部は、ドラムシャフト１２Ａに限られず、軸線方向に延びるボスであってもよい。ガイド５１は、第１ガイド位置から第２ガイド位置へのドラムカートリッジ３の移動方向に延びる。ガイド５１は、ドラム装着方向において、上流端５１Ａと、下流端５１Ｂとを有する。ドラム装着方向は、ドラムカートリッジ３が本体ケーシング２に装着されるときにガイド５１に案内される方向である。詳しくは、ドラム装着方向は、第１ガイド位置から第２ガイド位置へのドラムカートリッジ３の移動方向である。下流端５１Ｂは、ドラム装着方向において、上流端５１Ａと定着器８との間に位置する。下流端５１Ｂは、転写ローラ７の上方に位置する。ガイド５１は、本体ケーシング２の内面に設けられる溝である。なお、ガイド５１は、本体ケーシング２の内面から突出するリブから構成されてもよい。
【００７７】
また、ガイド５１は、現像カートリッジ４（図１参照）が本体ケーシング２に装着されるときには、現像カートリッジ４を、現像ローラ１４（図１参照）が感光ドラム１２に接触する位置までガイドする。
【００７８】
４．２  ハンドルシャフトガイド５２
ハンドルシャフトガイド５２は、ドラムカートリッジ３が第２ガイド位置から第３ガイド位置まで回動するときに、ハンドルシャフト３３（図１２および図１３参照）をガイドする。ハンドルシャフトガイド５２は、ドラムカートリッジ３が第２ガイド位置から第３ガイド位置まで回動するときに、ハンドルシャフト３３が嵌まる。ハンドルシャフトガイド５２は、ガイド５１の途中から、第２ガイド位置から第３ガイド位置へのドラムカートリッジ３の回動方向に延びる。第２ガイド位置から第３ガイド位置へのドラムカートリッジ３の回動方向を、ドラム回動方向と定義する。詳しくは、ハンドルシャフトガイド５２は、ガイド５１の下流端５１Ｂを中心とする円弧形状を有する。ハンドルシャフトガイド５２は、本体ケーシング２の内面に設けられる溝である。なお、ハンドルシャフトガイド５２は、本体ケーシング２の内面から突出するリブから構成されてもよい。
【００７９】
４．３  第１カバーガイド５３
第１カバーガイド５３は、ドラムカートリッジ３が第１ガイド位置から第２ガイド位置へ移動するときに、第１カバー２１（図９から図１２参照）を第１位置から第２位置へ移動させる。また、第１カバーガイド５３は、ドラムカートリッジ３が第２ガイド位置から第３ガイド位置へ移動するときに、第１カバー２１（図１２および図１３参照）を第２位置に維持する。第１カバーガイド５３には、ドラムカートリッジ３が第１ガイド位置から第２ガイド位置へ移動するときに、第１カバー２１の第１接触部２８Ａ（図４Ａ参照）および第２接触部２９Ａ（図４Ａ参照）が嵌まる。第１カバーガイド５３は、ガイド５１の下方に位置する。第１カバーガイド５３は、ドラム装着方向に延びる。第１カバーガイド５３は、上記した第３接触部５３Ａと、上記した第４接触部５３Ｂとを有する。詳しくは、第１カバーガイド５３は、第３接触部５３Ａと、第１接触部ガイド５６と、第４接触部５３Ｂを有する第２接触部ガイド５７とを有する。第１カバーガイド５３は、ドラム装着方向において、第３接触部５３Ａの下流側で、第１接触部ガイド５６と、第４接触部５３Ｂを有する第２接触部ガイド５７とに分岐する。
【００８０】
４．３．１  第３接触部５３Ａ
第３接触部５３Ａは、ドラム装着方向において、第１カバーガイド５３の上流端の近傍に位置する。第３接触部５３Ａは、ドラム装着方向と交差する方向に延びる面である。図１０に示すように、第３接触部５３Ａは、ドラムカートリッジ３が第１ガイド位置から第２ガイド位置にへ移動するときに、第１カバー２１の第１接触部２８Ａと接触する。これにより、図１１に示すように、第１カバー２１は、第１位置から第２位置へ回動する。このとき、第１カバー２１は、ドラム回動方向と同じ方向に回動する。
【００８１】
４．３．２  第１接触部ガイド５６
図８に示す第１接触部ガイド５６には、ドラムカートリッジ３が第１ガイド位置から第２ガイド位置へ移動するときに、第２位置に位置する第１カバー２１の第１接触部２８Ａ（図４Ｂ参照）が嵌まる。第１接触部ガイド５６は、上流部分５６Ａと、下流部分５６Ｂとを有する。
【００８２】
上流部分５６Ａは、ドラムカートリッジ３が第１ガイド位置から第２ガイド位置へ移動するときに、第１接触部２８Ａをガイドする。上流部分５６Ａは、ドラム装着方向において、第３接触部５３Ａと下流部分５６Ｂとの間に位置する。また、上流部分５６Ａは、上下方向において、ガイド５１と、第２接触部ガイド５７の上流部分５７Ａとの間に位置する。上流部分５６Ａは、ドラム装着方向に延びる。
【００８３】
下流部分５６Ｂは、ドラムカートリッジ３が第２ガイド位置から第３ガイド位置へ移動するときに、第１接触部２８Ａをガイドする。下流部分５６Ｂは、ガイド５１の下流端５１Ｂと、ハンドルシャフトガイド５２との間に位置する。下流部分５６Ｂは、ドラム回動方向に延びる。下流部分５６Ｂは、ガイド５１と交差する。
【００８４】
４．３．３  第２接触部ガイド５７
第２接触部ガイド５７には、ドラムカートリッジ３が第１ガイド位置から第２ガイド位置へ移動するときに、第２位置に位置する第１カバー２１の第２接触部２９Ａ（図４Ｂ参照）が嵌まる。第２接触部ガイド５７は、上流部分５７Ａと、下流部分５７Ｂとを有する。
【００８５】
上流部分５７Ａは、ドラムカートリッジ３が第１ガイド位置から第２ガイド位置へ移動するときに、第２接触部２９Ａをガイドする。上流部分５７Ａは、ドラム装着方向において、第３接触部５３Ａと下流部分５７Ｂとの間に位置する。また、上流部分５７Ａは、上下方向において、第１接触部ガイド５６の上流部分５６Ａに対して、ガイド５１の反対側に位置する。上流部分５７Ａは、ドラム装着方向に延びる。
【００８６】
下流部分５７Ｂは、ドラムカートリッジ３が第２ガイド位置から第３ガイド位置へ移動するときに、第２接触部２９Ａをガイドする。下流部分５７Ｂは、ガイド５１の下流端５１Ｂと、第１接触部ガイド５６の下流部分５６Ｂとの間に位置する。下流部分５７Ｂは、ドラム回動方向に延びる。下流部分５７Ｂは、ガイド５１と交差する。
【００８７】
４．３．４  第４接触部５３Ｂ
第４接触部５３Ｂは、下流部分５７Ｂの内面である。第４接触部５３Ｂには、ドラムカートリッジ３が第２ガイド位置から第３ガイド位置まで移動するときに、第２位置に位置する第１カバー２１の第２接触部２９Ａ（図４Ｂ参照）と接触する。これにより、図１２および図１３に示すように、ドラムカートリッジ３は、第１カバー２１が第２位置に維持された状態で、第２ガイド位置から第３ガイド位置まで移動する。
【００８８】
４．４  第２カバーガイド５４
図８に示す第２カバーガイド５４は、ドラムカートリッジ３が第１ガイド位置から第２ガイド位置へ移動するときに、第２カバー２２（図９から図１１参照）を第３位置から、第３位置と第４位置との間の第５位置（図１１参照）へ移動させる。第２カバーガイド５４には、ドラムカートリッジ３が第１ガイド位置から第２ガイド位置へ移動するときに、第２カバー２２の第５接触部３２Ａ（図４Ａ参照）が嵌まる。第２カバーガイド５４は、ガイド５１の上方に位置する。第２カバーガイド５４は、ドラム装着方向に延びる。第２カバーガイド５４は、第６接触部５４Ａを有する。すなわち、本体ケーシング２は、第６接触部５４Ａを有する。
【００８９】
第６接触部５４Ａは、ドラム装着方向において、第１カバーガイド５３の上流端の近傍に位置する。第６接触部５４Ａは、ガイド５１に対して、第３接触部５３Ａの反対側に位置する。第６接触部５４Ａは、ドラム装着方向と交差する方向に延びる面である。図１０に示すように、第６接触部５４Ａは、ドラムカートリッジ３が第１ガイド位置から第２ガイド位置へ移動するときに、第２カバー２２の第５接触部３２Ａと接触する。これにより、図１１に示すように、第３位置に位置する第２カバー２２は、第３位置と第４位置との間の第５位置に位置する。このとき、第２カバー２２は、ドラム回動方向と反対の方向に回動する。
【００９０】
４．５  第７接触部５５
図１２および図１３に示すように、第７接触部５５は、ドラムカートリッジ３が第２ガイド位置から第３ガイド位置まで移動するときに、第２カバー２２の一部と接触する。具体的には、第７接触部５５は、ドラムカートリッジ３が第２ガイド位置から第３ガイド位置まで移動するときに、第２カバー２２のカバー板３０の第８接触部３０Ｂと接触する。第７接触部５５は、ドラム装着方向において、第６接触部５４Ａと定着器８との間に位置する。第７接触部５５は、軸線方向に延びる。第７接触部５５は、円柱形状を有する。第５位置に位置する第２カバー２２は、ドラムカートリッジ３が第２ガイド位置から第３ガイド位置へ移動するときに、第２カバーのカバー板３０が第７接触部５５に接触することによって、ドラム回動方向と反対の方向にさらに回動して、第４位置に位置する。
【００９１】
５．本体ケーシング２に対するドラムカートリッジ３および現像カートリッジ４の装着
図８から図１３、および、図１を参照して、本体ケーシング２に対するドラムカートリッジ３および現像カートリッジ４の装着について説明する。
【００９２】
本体ケーシング２に対してドラムカートリッジ３および現像カートリッジ４を装着するには、ユーザーは、まず、図８に示すように、カバー２Ｃを開位置に位置させて、図９に示すように、ドラムシャフト１２Ａをガイド５１の上流端５１Ａに嵌めて、ドラムカートリッジ３を第１ガイド位置に位置させる。これにより、第２カバー２２の第５接触部３２Ａは、第２カバーガイド５４の上流端に嵌まる。
【００９３】
次いで、ユーザーは、ドラムカートリッジ３を本体ケーシング２の内部空間２Ｂに向かって押し込む。
【００９４】
すると、ドラムカートリッジ３は、ガイド５１によってガイドされて、ドラム装着方向に移動する。これにより、第１カバー２１の第１接触部２８Ａおよび第２接触部２９Ａは、第１カバーガイド５３の上流端に嵌まる。
【００９５】
そして、ドラムカートリッジ３がドラム装着方向に移動することにより、図１０に示すように、第１カバー２１の第１接触部２８Ａは、第１カバーガイド５３の第３接触部５３Ａと接触する。また、第２カバー２２の第５接触部３２Ａは、第２カバーガイド５４の第６接触部５４Ａと接触する。
【００９６】
そして、第１接触部２８Ａが第３接触部５３Ａと接触し、第５接触部３２Ａが第６接触部５４Ａと接触した状態で、ドラムカートリッジ３がドラム装着方向にさらに移動することにより、図１１に示すように、第１カバー２１が第１位置から第２位置へ移動し、第２カバー２２が、第３位置から、第３位置と第４位置との間の第５位置へ移動する。
【００９７】
そして、ドラムカートリッジ３は、図１２に示すように、ドラムシャフト１２Ａがガイド５１の下流端５１Ｂに位置することにより、第２ガイド位置に位置する。このとき、第２位置に位置する第１カバー２１の第２接触部２９Ａ（図４Ｂ参照）は、第１カバーガイド５３の第４接触部５３Ｂ（図８参照）と接触する。また、感光ドラム１２は、転写ローラ７と接触する。
【００９８】
次いで、ユーザーは、ドラムカートリッジ３を、ハンドルシャフト３３が上方へ向かうように、ドラムシャフト１２Ａを中心として回動させる。
【００９９】
これにより、図１２および図１３に示すように、ドラムカートリッジ３は、第２ガイド位置から第３ガイド位置へ向かって、ドラム回動方向に回動する。このとき、第１カバー２１の第２接触部２９Ａは、第１カバーガイド５３の第４接触部５３Ｂとの接触が維持される。これにより、ドラムカートリッジ３は、第１カバー２１が第２位置に維持された状態で、第２ガイド位置から第３ガイド位置へ向かって回動する。また、第２カバー２２のカバー板３０は、本体ケーシング２の第７接触部５５と接触する。
【０１００】
カバー板３０が第７接触部５５と接触した状態で、ドラムカートリッジ３がドラム回動方向に回動することにより、第２カバー２２は、第５位置から第４位置へ向かって、感光ドラム１２に対して回動する。
【０１０１】
これにより、図１３に示すように、ドラムカートリッジ３が第３ガイド位置に位置したときに、第２カバー２２は、第４位置に位置する。また、感光ドラム１２の第１部分Ａ１（図４Ａ参照）は、ドラムシャフト１２Ａに対して、ドラム装着方向の上流側に位置する。また、感光ドラム１２の第２部分Ａ２（図４Ｂ参照）は、転写ローラ７と接触する。
【０１０２】
次いで、ユーザーは、現像カートリッジ４を装着する。
【０１０３】
すると、図１に示すように、ドラムカートリッジ３のハンドル２３は、現像カートリッジ４のリブ４２（図７参照）によって、上方へ向かって回動する。現像ローラ１４は、回動したハンドル２３の下を通って、感光ドラム１２の第１部分Ａ１と接触する。
【０１０４】
その後、ユーザーがカバー２Ｃを閉位置に位置させることにより、本体ケーシング２に対するドラムカートリッジ３および現像カートリッジ４の装着が終了する。
【０１０５】
６．作用効果
画像形成装置１によれば、図１０および図１１に示すように、ドラムカートリッジ３が、第１ガイド位置から第２ガイド位置へ移動するときに、第１カバー２１の第１接触部２８Ａを本体ケーシング２の第３接触部５３Ａに接触させるという、簡易な構成で、第１カバー２１を、ドラムカートリッジ３が第２ガイド位置から第３ガイド位置へ回動する回動方向と同じ方向に回動させて、第１位置から第２位置へ移動させることができる。
【０１０６】
また、図１２および図１３に示すように、ドラムカートリッジ３が第２ガイド位置から第３ガイド位置へ回動するときに、第１カバー２１の第２接触部２９Ａ（図４Ｂ参照）を本体ケーシング２の第４接触部５３Ｂ（図８参照）に接触させることによって、第１カバー２１を第２位置に維持することができる。
【０１０７】
その結果、簡易な構成で、本体ケーシング２に対するドラムカートリッジ３の装着動作を利用して、第１カバー２１を第１位置から第２位置へ移動させることができる。
【符号の説明】
【０１０８】
１        画像形成装置
２        本体ケーシング
３        ドラムカートリッジ
４        現像カートリッジ
７        転写ローラ
８        定着器
１２      感光ドラム
１２Ａ    ドラムシャフト
１４      現像ローラ
２１      第１カバー
２２      第２カバー
２３      ハンドル
２７Ａ    第１回動シャフト
２７Ｂ    第１回動シャフト
２８Ａ    第１接触部
２８Ｂ    第１接触部
２９Ａ    第２接触部
２９Ｂ    第２接触部
３１Ａ    第２回動シャフト
３１Ｂ    第２回動シャフト
３２Ａ    第５接触部
３２Ｂ    第５接触部
３３      ハンドルシャフト
５１      ガイド
５１Ａ    上流端
５１Ｂ    下流端
５３Ａ    第３接触部
５３Ｂ    第４接触部
５４Ａ    第６接触部
５５      第７接触部
Ａ１      第１部分
Ａ２      第２部分
【図１】
2019015857.tif 000003
【図２】
2019015857.tif 000004
【図３】
2019015857.tif 000005
【図４】
2019015857.tif 000006
【図５】
2019015857.tif 000007
【図６】
2019015857.tif 000008
【図７】
2019015857.tif 000009
【図８】
2019015857.tif 000010
【図９】
2019015857.tif 000011
【図１０】
2019015857.tif 000012
【図１１】
2019015857.tif 000013
【図１２】
2019015857.tif 000014
【図１３】
2019015857.tif 000015